(57)【要約】      （修正有）【課題】書籍類の厚みに応じて、背表紙部の厚さを調整可能であり、かつ写真により独自の装飾が可能な、ブックカバーを提供する。【解決手段】書籍類Ｂの表表紙Ｄをカバーする部分１３と、書籍類Ｂの裏表紙Ｒをカバーする部分１５及びそれらの表紙をつなぐ背表紙Ｓをカバーする部分１４を有し、一定の厚さａに設定した一定寸部と、調整のために厚さｂに設定した調整部とを有し、調整部の厚さｂ以下の厚さの調整版２０を調整部側の表紙の内面に固定した構成を有しており、調整版２０は、スポンジのように容易に圧縮可能な弾性材料より成るものとする。調整版２０は、書籍の厚みに応じて、厚さの異なる調整版と交換可能とすることができる。【選択図】図１
0003118293.tif 000002
【実用新案登録請求の範囲】
【請求項１】
書籍類の厚みに応じて背表紙部の厚さを調整するための機能をそなえたブックカバーであって、書籍類の表表紙をカバーする部分と、裏表紙をカバーする部分及びそれらの表紙をつなぐ背表紙をカバーする部分を有し、背表紙をカバーする部分として、一定の厚さａに設定した一定寸部と、調整のために厚さｂに設定した調整部とを有し、調整部の厚さｂ以下の厚さの調整版を調整部側の表紙の内面に固定した構成を有しており、調整版は、スポンジシートや発泡樹脂シートのように容易に圧縮可能な弾性材料より成るシート状素材製のブックカバー。
【請求項２】
調整版は、書籍類の厚みと背表紙をカバーする部分の厚さの差に応じて、厚さの異なる調整版と交換可能である請求項１記載のブックカバー。
【請求項３】
書籍類の表表紙に折り込む部分、表表紙をカバーする部分、調整部を含む背表紙をカバーする部分、裏表紙をカバーする部分、裏表紙の厚さ分のマチ、及び裏表紙に折り込む部分が、同順に連続して設けられ、かつ各部分の境界にて、折り線により折り曲げられるように構成された請求項１記載のブックカバー。
【請求項４】
少なくとも表表紙をカバーする部分と、裏表紙をカバーする部分は、好みの写真を焼き付けた印画紙を用いて形成されている請求項１記載のブックカバー。
【考案の詳細な説明】
【技術分野】
【０００１】
本考案は、書籍やノート、アルバムなど製本状態にあるものの厚みに応じて、背表紙部の厚さを調整するための機能をそなえたブックカバーに関するものである。
【背景技術】
【０００２】
従来のブックカバーは、概して柔らかな素材を用いて形成されたものが主流である。例えば、紙、布、皮革などで形成されているものがそれに当たる。それらは、書籍類の厚みの変化に対応し易く、かつ書籍類の保護にも有効な方法と考えられる。しかし、書籍類の保護のためには、硬質の素材を用いる方が有効なはずである。であるにも拘らず、硬質の素材を用いることが少なかったのは、適切な材料や、製造方法がなかったこと、書籍類の厚みの変化に対応しにくいことなどが、理由として考えられる。
【０００３】
これに対して、先行する技術を検討すると、例えば実開昭４９−１３２９２１号は、表裏の表紙となる一対の基版の内面に、簿冊の表版の挿入袋部を設けるとともに、一方の基盤の内辺縁に折り曲げ可能な連結版を設け、これを他方の基版の袋部に抜き差しするようにした構成を有している。この抜き差し構造では、どちらかの基版を抜き出せるため、意図せずに抜け出すことが使用上の問題となる。
【０００４】
軟質又は硬質材料を用いて、曲げにくいブックカバーを形成する場合、書籍類との接触箇所に対する配慮も必要になるが、そのような対策を有するブックカバーは提案されていない。他の分野では、実開平２−７４９１７号に見られるように、カバーの内面にクッション材を設けることが示唆されているが、ブックカバーの内面にクッション材を設けるとなると、全体の厚みを増すことになり、一長一短ということになる。
【０００５】
また、ブックカバーの斬新性ということから、本考案者はブックカバーに写真を使用することを思い付き、検討を行ってきた。その過程で、実開平６−５７６６６号を見出したが、その考案の場合、写真を拡大した複数の印画紙を表紙とともに製本し、折り目の付いた紙に印画紙を貼り付け、ラミネート加工したブックカバーを取り付けて印画紙写真集を構成したものである。つまり、その考案におけるブックカバーは、写真を貼り付けたに過ぎないものである。貼り付けた写真は、折り目の付いた紙に、厚さと薄さの不均一性を作り、それによって曲げやすい所と曲げにくい所ができ、扱いにくいものとなる。また、貼り付けた写真によりブックカバー表面に段差や、部分的な浮き沈みが形成され、ラミネート加工をしても消えず、視覚的に、また触覚的に感じの良くないものとなる。
【０００６】
【特許文献１】実開昭４９−１３２９２１号
【特許文献２】実開平２−７４９１７号
【特許文献３】実開平６−５７６６６号
【考案の開示】
【考案が解決しようとする課題】
【０００７】
本考案は以上の点に着目して成されたもので、その課題は、書籍やノート、アルバムなど製本状態にあるものすなわち、書籍類の厚みに応じて、背表紙部の厚さを調整可能であり、かつ写真により独自の装飾が可能な、ブックカバーを提供することである。また、本考案の他の課題は、視覚的にも、触覚的にも感じの良い、ブックカバーを提供することである。
【課題を解決するための手段】
【０００８】
前記の課題を解決するため本考案は、書籍類の厚みに応じて背表紙部の厚さを調整するための機能をそなえたブックカバーについて、書籍類の表表紙をカバーする部分と、裏表紙をカバーする部分及びそれらの表紙をつなぐ背表紙をカバーする部分を有し、背表紙をカバーする部分として、一定の厚さａに設定した一定寸部と、調整のために厚さｂに設定した調整部とを有し、調整部の厚さｂ以下の厚さの調整版を調整部側の表紙の内面に固定した構成を有しており、調整版は、スポンジシートや発泡樹脂シートのように容易に圧縮可能な弾性材料より成るシート状素材製のものとする、という手段を講じたものである。
【０００９】
上記の構成は、必須不可欠のものであり、第１に、背表紙をカバーする部分として、一定の厚さａに設定した一定寸部と、調整のために厚さｂに設定した調整部とを有していること、第２に、調整部の厚さｂ以下の厚さの調整版を調整部側の表紙の内面に貼付することが求められる。調整版は、弾性材料のみから成るものである必要はなく、ボール紙や、段ボール紙との組み合わせであっても良い。しかしながら、調整版を、スポンジシートや発泡樹脂シートのように容易に圧縮可能な弾性材料によって形成することに加えて、書籍類の厚みと背表紙部の厚さの差に応じて、厚さの異なる調整版と交換可能に設けることは、好ましい態様である（請求項２記載の考案）。
【００１０】
本考案のブックカバーにおいて、背表紙をカバーする部分を構成する、一定の厚さａに設定した一定寸部と、調整のために厚さｂに設定した調整部とは、夫々任意の厚さを有する。つまり、ａはａとして何種類かの厚さに設定可能であり、また、ｂはｂとして何種類かの厚さに設定可能であるものとする。
【００１１】
本考案におけるブックカバーは、書籍類の表表紙をカバーする部分と、裏表紙をカバーする部分及びそれらの表紙をつなぐ背表紙をカバーする部分とから成る。表表紙をカバーする部分という文言は、書籍類の表表紙を覆う部分だけを指す訳ではなく、書籍類の表表紙を覆う部分と折り返しとから成る構成のものを含む。これは裏表紙をカバーする部分についても同様に当てはまることである。しかし、背表紙をカバーする部分は、１枚のシート状素材から成るか、或いは、貼り合わせ構成となる。なお、左右どちらを表とするかは、横書きか縦書きかによって変わるものであり、本考案のブックカバーが、どちらにも対応する構成を備えていることは明らかである。
【００１２】
また、本考案におけるブックカバーは、書籍類の表表紙に折り込む部分、表紙をカバーする部分、調整部を含む背表紙をカバーする部分、裏表紙をカバーする部分、裏表紙の厚さ分のマチ、及び裏表紙に折り込む部分が、同順に連続して設けられ、かつ各部分の境界にて、折り線により折り曲げられるように構成することができる（請求項３記載の考案）。ここで表表紙に折り込む部分、表表紙をカバーする部分は、全体が表表紙部をカバーする部分であり、同様に、裏表紙をカバーする部分、裏表紙の厚さ分のマチ、及び裏表紙に折り込む部分は、全体が裏表紙部をカバーする部分である。なお、表表紙の厚さ分のマチは通常の場合必要無いが、これを設けることは自由である。上記のように構成すると、裏表紙の厚さ分のマチは、裏表紙を挟み込み、箱状構造となるので、ブックカバーを形成するシート状素材が特別厚くなくても、また、特別硬質でなくても、十分な強度があり、曲げたり捻じったりしにくくなる、という効果も得られる。
【００１３】
本考案のブックカバーを形成するシート状素材には、少なくとも表表紙をカバーする部分と、裏表紙をカバーする部分に、好みの写真を焼き付けた印画紙を用いることができる（請求項４記載の考案）。従って、本考案によれば、好みの写真を焼き付けた１枚の印画紙によってブックカバーを形成することができるので、厚さと薄さの不均一性を作ったり、それによって曲がりやすい所と曲がらない所ができたりすることがなく、扱いやすいものとなる。また、写真を貼り付けるものではないので、ブックカバー表面に段差や、部分的な凹凸の形成されることがなく、視覚的にも、また触覚的にも感じの良いものとなる。
【考案の効果】
【００１４】
本考案は上記のように構成されかつ作用するものであるから、書籍やノート、アルバムなど製本状態にある、書籍類の厚みに応じて背表紙をカバーする部分の厚さを調整可能であり、何種類もの厚さの書籍類に適用することができる。また、好みの写真を焼き付けた１枚の印画紙を使用してブックカバーを形成することにより、独自の装飾が可能で、趣味性の豊かな、ブックカバーを提供することができる。また、本考案によれば、視覚的に、また触覚的に感じの良い、ブックカバーを提供することができる。
【考案を実施するための最良の形態】
【００１５】
以下、図示の実施形態を参照し、本考案のブックカバー１０について、より詳細に説明する。各図において、１１はブックカバー本体であり、このブックカバー本体１１は、書籍類Ｂの表表紙Ｄに折り込む部分１２、表表紙Ｄをカバーする部分１３、背表紙Ｓをカバーする部分１４、裏表紙Ｒをカバーする部分１５、裏表紙の厚さ分のマチ１６、及び裏表紙Ｒに折り込む部分１７が、同順に連続して設けられた構成を有している。各部分１２〜１７は、夫々の境界部にて、谷折り線１８により折り曲げ可能になっている（図１）。
【００１６】
ブックカバー本体１１の、表表紙Ｄをカバーする部分１３、及び背表紙Ｓをカバーする部分１４は、夫々書籍類Ｂの表表紙Ｄ、及び裏表紙Ｒを完全に覆えるように、表表紙Ｄ、及び裏表紙Ｒと同形同大か、それらよりも僅かに大きい形状に形成されている。背表紙Ｓをカバーする部分１４は、予め、一定の厚さａに設定した一定寸部と、調整のために厚さｂに設定した調整部とから成っている（図２）。
【００１７】
ブックカバー本体１１には、調整部の厚さｂ以下の厚さの調整版２０を、調整部側の表紙（例示の場合は裏表紙Ｒ）をカバーする部分１５の内面に固定している。例示している調整版２０は弾性材料であるスポンジ製シートであり、裏表紙Ｒをカバーする部分１５の平面形状よりも僅かに小型の平面形状と、調整部の厚さｂにほぼ等しい厚さに形成されている。この厚さｂは、ブックカバー本体１１の背表紙Ｓをカバーする部分１４の寸法と、書籍類Ｂの厚さとの差を補うもので、何種類かの調整版２０、２０′を用意しておき、個々の例に応じて書籍類Ｂと部分１４の差に最も近い寸法のものを使用する。
【００１８】
１９は調整版貼付スペースであり、裏表紙Ｒをカバーする部分１５の内側の面にある。例示の場合、調整版２０、２０′はスポンジ製シートとしたが、ボール紙や、段ボール紙製の調整版と弾性材料のスポンジ或いは発泡樹脂シート製のものとを組み合わせても全く差し支えはない。なお、調整版２０、２０′は、裏表紙Ｒをカバーする部分１５の内側の面に、接着剤を用いて貼付している。しかし、粘着テープによる固定、或いは、調整部側の表紙（例示の場合は裏表紙Ｒ）をカバーする部分１５の内面にポケットを設けて、そこに差し込む固定方法も取り得る。
【００１９】
ブックカバー本体１１を形成する１枚のシート状素材としては、写真２１、２２を焼き付けた印画紙を使用するものとする。例示の場合は、書籍類Ｂの表表紙Ｄに折り込む部分１２、表表紙Ｄをカバーする部分１３、背表紙Ｓをカバーする部分１４、裏表紙Ｒをカバーする部分１５、裏表紙の厚さ分のマチ１６、及び裏表紙Ｒに折り込む部分１７の、全体を、好みの写真を焼き付けた印画紙を用いて形成している。勿論、ブックカバー本体１１の表側、図１の紙面に対して裏側に写真２１、２２を焼き付けた面が来る。なお、ブックカバー本体１１の表側の写真２１、２２を焼き付けた面に、さらにラミネート加工を施し、写真の損傷を防止することは当然になし得ることである。
【００２０】
写真２１、２２を焼き付けた印画紙としては、紙製のほかに布製もあり得るし、いわゆるレジンペーパーの類も使用可能である。写真としては、人物写真、例えば、芸能人やスポーツ選手などをその内容とすることができ、その場合には、ファンクラブのプレミアム商品、観光地での土産品としても好適である。以上の説明に加えて、写真を焼き付けた印画紙を木材、金属、プラスチックなどで構成することも可能である。
【図面の簡単な説明】
【００２１】
【図１】本考案に係るブックカバーの一例を示すもので、ブックカバー本体を展開図で、書籍類は平面図で示した説明図である。
【図２】本考案に係るブックカバーの平面図で、Ａは厚さの薄い調整版を使用する例、Ｂは厚さの厚い調整版を使用する例を示す。
【図３】本考案に係るブックカバーの外観を示す展開図である。
【図４】図１の本考案に係るブックカバーを、書籍類に取り付けた状態を拡大して示す部分横断面図である。
【符号の説明】
【００２２】
１０  本考案に係るブックカバー
１１  ブックカバー本体
１２  書籍類Ｂの表表紙Ｄに折り込む部分
１３  表表紙Ｄをカバーする部分
１４  背表紙Ｓをカバーする部分
１５  裏表紙Ｒをカバーする部分
１６  裏表紙の厚さ分のマチ
１７  裏表紙Ｒに折り込む部分
１８  谷折り線
１９  調整版貼付スペース
２０、２０′  調整版
Ｂ  書籍類
Ｄ  表表紙
Ｒ  裏表紙
Ｓ  背表紙
ａ  一定の厚さ
ｂ  調整のための厚さ
【図１】
0003118293.tif 000003
【図２】
0003118293.tif 000004
【図３】
0003118293.tif 000005
【図４】
0003118293.tif 000006